(57)【要約】【課題】ファインダビューモード及びライブビューモードの何れであっても撮影者が被写体像を見易いライブビュー表示可能なカメラを提供することである。【解決手段】このカメラは、撮影レンズ１１からの被写体像は接眼レンズ５７を用いて観察可能であると共に、上記被写体像を表示用撮像素子６１により受光して該被写体像を液晶モニタにより表示することが可能である。そして、上記被写体像を形成して接眼レンズ５７による観察に応じた観察を行わせるための第１のスクリーンと、上記被写体像を形成し上記液晶モニタによる表示に応じた表示を行わせるための第２のスクリーンとの一方が、モード切り替えレバーの選択に連動して、フォーカシングスクリーン５６として被写体像結像面に配置される。【選択図】図３
2007072286.tif 000002
【特許請求の範囲】
【請求項１】
ライブビュー表示可能なカメラに於いて、
撮影レンズからの被写体像を接眼光学系を用いて観察する観察光学系と、
上記被写体像を撮像素子により受光し、上記被写体像を外部表示装置により表示する表示手段と、
上記被写体像からの光束を上記観察光学系で観察するか、若しくは上記表示手段で表示するかの選択を行う選択手段と、
上記被写体像を形成し上記観察光学系による観察に応じた観察を行わせるための第１の焦点板と、
上記被写体像を形成し上記表示手段による表示に応じた表示を行わせるための第２の焦点板と、
上記選択手段の選択に連動して、上記２つの焦点板の一方を被写体像結像面に配置する焦点板切り替え手段と、
を具備することを特徴とするライブビュー表示可能なカメラ。
【請求項２】
上記第１の焦点板は、フォーカス枠を表示する焦点板であることを特徴とする請求項１に記載のライブビュー表示可能なカメラ。
【請求項３】
上記選択手段は、上記被写体像結像面から接眼光学系の間に配置された可動の反射ミラーであることを特徴とする請求項１に記載のライブビュー表示可能なカメラ。
【請求項４】
ライブビュー表示可能なカメラに於いて、
撮影レンズと、
上記撮影レンズを通過した被写体像を撮像する第１の撮像素子と、
上記焦点板に形成された被写体像を観察するための観察光学系と、
上記観察光学系の光路側に設けられた第２の撮像素子と、
上記第１の撮像素子若しくは上記第２の撮像素子の出力に基づいて被写体像を表示する表示手段と、
上記被写体像からの光束を上記観察光学系で観察するか、若しくは上記表示手段で表示するかの選択を行う選択手段と、
上記第１の撮像素子と光学的に共役な位置に配置されたもので、上記被写体像を形成し上記観察光学系による観察に応じた観察を行わせるための第１の焦点板と、
上記第１の撮像素子と光学的に共役な位置に配置されたもので、上記被写体像を形成し上記表示手段による表示に応じた表示を行わせるための第２の焦点板と、
上記選択手段の選択に連動して、上記第１の焦点板及び第２の焦点板の何れか一方を被写体像結像面に配置するように切り替える切り替え手段と、
を具備することを特徴とするライブビュー表示可能なカメラ。
【請求項５】
上記第１の焦点板は、フォーカス枠を表示する焦点板であることを特徴とする請求項４に記載のライブビュー表示可能なカメラ。
【請求項６】
上記選択手段は、上記被写体像結像面から観察光学系の間に配置された可動の反射ミラーであることを特徴とする請求項４に記載のライブビュー表示可能なカメラ。
【請求項７】
撮影レンズを通過した被写体光束から被写体像を取得する第１の撮像手段と、
上記第１の撮像手段の撮像光路に対して進退可能であり、上記撮像光路内に於いては上記被写体光束を接眼光学系に導くメインミラーと、
上記接眼光学系の一部であって、上記メインミラーによって反射された上記被写体光束から被写体像を形成する焦点板と、
上記焦点板上に形成された被写体像を取得する第２の撮像手段と、
上記第１若しくは第２の撮像手段で取得された被写体像を表示可能な表示手段と、
上記メインミラーの動作に応じて、上記表示手段の表示画像を選択する選択手段と、
を具備し、
上記焦点板は、上記被写体像を形成し上記接眼光学系による観察に応じた観察を行わせるための第１の焦点板と、上記被写体像を形成し上記表示手段による表示に応じた表示を行わせるための第２の焦点板とを有し、上記選択手段の選択に連動して、上記第１の焦点板及び第２の焦点板の何れか一方を被写体像結像面に配置することを特徴とするライブビュー表示可能なカメラ。
【請求項８】
上記第１の焦点板は、フォーカス枠を表示する焦点板であることを特徴とする請求項７に記載のライブビュー表示可能なカメラ。
【請求項９】
上記選択手段は、上記被写体像結像面から接眼光学系の間に配置された可動の反射ミラーであることを特徴とする請求項７に記載のライブビュー表示可能なカメラ。
【発明の詳細な説明】
【技術分野】
【０００１】
本発明は、ＣＣＤ等の撮像素子で被写体を連続的に撮像して表示装置に表示する、いわゆるライブビュー表示可能なカメラに関するものである。
【背景技術】
【０００２】
一般に、デジタル一眼レフカメラは、フォーカシングスクリーン上の被写体像を撮像して、その画像を電子ビューファインダに表示している。そして、近年、被写体像を連続的に撮像して液晶モニタ等に表示する、いわゆるライブビュー表示が可能なものが増えてきている。ライブビュー画像を液晶モニタに表示する場合、フォーカシングスクリーン上に設けられているＡＦ測距用のＡＦフレームが、そのまま被写体像に重なって表示されるため、モニタ画面上で見難いものとなっている。
【０００３】
そのため、例えば、フォーカシングスクリーン上の焦点調節補助用光学部材の画像を画像処理によって消去する技術が知られている（例えば、特許文献１参照）。
【特許文献１】特開２００１−２９６５８４号公報
【発明の開示】
【発明が解決しようとする課題】
【０００４】
しかしながら、上述した特許文献１に記載の技術では、フォーカシングスクリーン上の焦点調節補助用光学部材の画像は完全には消去しきれない、或いは消去した部分が不自然な画像となっているものであった。
【０００５】
したがって、本発明は上記課題に鑑みてなされたものであり、その目的は、ファインダビューモード及びライブビューモードの何れであっても撮影者が被写体像を見易いライブビュー表示可能なカメラを提供することである。
【課題を解決するための手段】
【０００６】
すなわち請求項１に記載の発明は、ライブビュー表示可能なカメラに於いて、撮影レンズからの被写体像を接眼光学系を用いて観察する観察光学系と、上記被写体像を撮像素子により受光し、上記被写体像を外部表示装置により表示する表示手段と、上記被写体像からの光束を上記観察光学系で観察するか、若しくは上記表示手段で表示するかの選択を行う選択手段と、上記被写体像を形成し上記観察光学系による観察に応じた観察を行わせるための第１の焦点板と、上記被写体像を形成し上記表示手段による表示に応じた表示を行わせるための第２の焦点板と、上記選択手段の選択に連動して、上記２つの焦点板の一方を被写体像結像面に配置する焦点板切り替え手段と、を具備することを特徴とする。
【０００７】
請求項２に記載の発明は、請求項１に記載の発明に於いて、上記第１の焦点板は、フォーカス枠を表示する焦点板であることを特徴とする。
【０００８】
請求項３に記載の発明は、請求項１に記載の発明に於いて、上記選択手段は、上記被写体像結像面から接眼光学系の間に配置された可動の反射ミラーであることを特徴とする。
【０００９】
請求項４に記載の発明は、ライブビュー表示可能なカメラに於いて、撮影レンズと、上記撮影レンズを通過した被写体像を撮像する第１の撮像素子と、上記焦点板に形成された被写体像を観察するための観察光学系と、上記観察光学系の光路側に設けられた第２の撮像素子と、上記第１の撮像素子若しくは上記第２の撮像素子の出力に基づいて被写体像を表示する表示手段と、上記被写体像からの光束を上記観察光学系で観察するか、若しくは上記表示手段で表示するかの選択を行う選択手段と、上記第１の撮像素子と光学的に共役な位置に配置されたもので、上記被写体像を形成し上記観察光学系による観察に応じた観察を行わせるための第１の焦点板と、上記第１の撮像素子と光学的に共役な位置に配置されたもので、上記被写体像を形成し上記表示手段による表示に応じた表示を行わせるための第２の焦点板と、上記選択手段の選択に連動して、上記第１の焦点板及び第２の焦点板の何れか一方を被写体像結像面に配置するように切り替える切り替え手段と、を具備することを特徴とする。
【００１０】
請求項５に記載の発明は、請求項４に記載の発明に於いて、上記第１の焦点板は、フォーカス枠を表示する焦点板であることを特徴とする。
【００１１】
請求項６に記載の発明は、請求項４に記載の発明に於いて、上記選択手段は、上記被写体像結像面から観察光学系の間に配置された可動の反射ミラーであることを特徴とする。
【００１２】
請求項７に記載の発明は、撮影レンズを通過した被写体光束から被写体像を取得する第１の撮像手段と、上記第１の撮像手段の撮像光路に対して進退可能であり、上記撮像光路内に於いては上記被写体光束を接眼光学系に導くメインミラーと、上記接眼光学系の一部であって、上記メインミラーによって反射された上記被写体光束から被写体像を形成する焦点板と、上記焦点板上に形成された被写体像を取得する第２の撮像手段と、上記第１若しくは第２の撮像手段で取得された被写体像を表示可能な表示手段と、上記メインミラーの動作に応じて、上記表示手段の表示画像を選択する選択手段と、を具備し、上記焦点板は、上記被写体像を形成し上記接眼光学系による観察に応じた観察を行わせるための第１の焦点板と、上記被写体像を形成し上記表示手段による表示に応じた表示を行わせるための第２の焦点板とを有し、上記選択手段の選択に連動して、上記第１の焦点板及び第２の焦点板の何れか一方を被写体像結像面に配置することを特徴とする。
【００１３】
請求項８に記載の発明は、請求項７に記載の発明に於いて、上記第１の焦点板は、フォーカス枠を表示する焦点板であることを特徴とする。
【００１４】
請求項９に記載の発明は、請求項７に記載の発明に於いて、上記選択手段は、上記被写体像結像面から接眼光学系の間に配置された可動の反射ミラーであることを特徴とする。
【発明の効果】
【００１５】
本発明によれば、ファインダビューモード及びライブビューモードの何れであっても撮影者が被写体像を見易いライブビュー表示可能なカメラを提供することができる。
【発明を実施するための最良の形態】
【００１６】
以下、図面を参照して、本発明の実施形態を説明する。
【００１７】
図１は、本発明の一実施形態を示すもので、一眼レフレックスタイプのデジタルカメラの構成を示す外観斜視図である。
【００１８】
図１に於いて、この一眼レフレックスタイプのデジタルカメラ（以下、カメラと略記する）１は、交換レンズとしてのレンズ鏡筒１０と、カメラ本体２０から主に構成されており、該カメラ本体２０の前面に対して、所望のレンズ鏡筒１０が着脱自在に設定されている。
【００１９】
カメラ本体２０の上面には、レリーズ釦２１と、モードダイヤル２２と、パワースイッチレバー２３と、コントロールダイヤル２４と、モード切り替えレバー３５等が設けられている。
【００２０】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００２１】
モードダイヤル２２は、撮影時の撮影モードを設定するための操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。
【００２２】
コントロールダイヤル２４は、撮影情報の設定を行うための部材である。このコントロールダイヤル２４が操作されることにより、撮影時に種々の設定が行われる。また、切り替え手段であるモード切り替えレバー３５は、ファインダビューモードとライブビューモードとを切り替える操作レバーとして構成される。この切り替え操作の詳細については後述する。
【００２３】
ボディユニット２０の背面部には、撮影画像やメニュー等を表示するための表示手段（外部表示装置）を構成する液晶モニタ２６と、再生釦２７と、メニュー釦２８と、十字キー３０と、ＯＫ釦３１と、接眼光学系のファインダ３３等が配置されている。
【００２４】
上記再生釦２７は、カメラ１の動作モードを、後述するＳＤＲＡＭ６２や記録用のメディア６３に記録されたＪＰＥＧファイルから画像を再生できる再生モードに切り換えるための釦である。メニュー釦２８は、液晶モニタ２６にメニュー画面を表示させるための釦である。このメニュー画面は、複数の階層構造から成るメニュー項目によって構成されている。ユーザは、所望のメニュー項目を十字キー３０で選択することができ、ＯＫ釦３１で選択した項目を決定することができる。例えば、後述するＡＦセンサユニット７１の出力に応じて撮影レンズを駆動するオートフォーカス（ＡＦ）モードと、撮影者の手動操作に応じて撮影レンズを駆動するマニュアルフォーカス（ＭＦ）モードの切り替えについても、このメニュー項目に含まれている。
【００２５】
図２は、本発明の一実施形態に係るカメラのシステム構成を示すブロック図である。
【００２６】
図２に於いて、上記レンズ鏡筒１０は、上記カメラ本体２０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００２７】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ４０を介して、後述するボディ制御用マイクロコンピュータ８０と電気的に接続がなされ、該ボディ制御用マイクロコンピュータ８０の指令に従って制御される。
【００２８】
一方、カメラ本体２０は、以下のように構成されている。
【００２９】
レンズ鏡筒１０内の撮影レンズ１１、絞り１２を介して入射される図示されない被写体からの光束は、可動ミラーである第１反射ミラー（選択手段）５１で反射され、フォーカシングスクリーン５６、更に上記第１反射ミラー５１と共にファインダ光学系５０を構成する第２乃至第４反射ミラー５２〜５４（図３参照）等を介して、接眼レンズ５７に至る。また、第１反射ミラー５１のハーフミラーの部分を透過した被写体光束の一部は、第１反射ミラー５１とは独立して作動するサブミラー７０で反射されて、自動測距を行うためのＡＦセンサユニット７１に導かれる。尚、図２に於いては、第１反射ミラー５１は別に示されているが、第２乃至第４の反射ミラー等と共にファインダ光学系（観察光学系）５０を構成しているものである。
【００３０】
光軸上で上記第１反射ミラー５１の後方には、フォーカルプレーン式のシャッタ６６と、光学系を通過した被写体像を光電変換するための撮像光学系の光電変換素子であり、ＣＣＤ等で構成される第１の撮像素子としての撮影用撮像素子６７が設けられている。つまり、第１反射ミラー５１が撮影光路より退避した場合、撮影レンズ１１及び絞り１２を通った光束は、撮影用撮像素子６７の撮像面上に結像される。
【００３１】
また、ファインダ光学系５０に於いては、後述するように、第２反射ミラー５２の近傍に測光センサ６３が、そして第４反射ミラー５４の近傍に第２の撮像素子としての表示用撮像素子６１及びモード切り替えスイッチ６４が配設されている。上記測光センサ６３は、後述する測光回路８７を介してボディ制御用マイクロコンピュータ８０に接続されるもので、その指令に従って制御される。また、モード切り替えスイッチ６４はモード切り替えレバー３５に対応するもので、その詳細については後述する。
【００３２】
上記表示用撮像素子６１と上記撮影用撮像素子６７は、インターフェイス回路８１を介して、圧縮手段を含み画像処理を行うための画像処理コントローラ８２に接続されている。そして、この画像処理コントローラ８２には、上述した液晶モニタ２６と、記憶領域として設けられた一時保管用メモリであるＳＤＲＡＭ８３、Ｆｌａｓｈ  Ｍｅｍｏｒｙ８４及び記録メディア８５等が接続されている。これらは、電子撮像機能と共に電子記録表示機能を提供できるように構成されている。
【００３３】
上記記録メディア８５は、図示されないカメラのインターフェイスを介してカメラ本体２０に対し脱着可能な各種のメモリカードや外付けのハードディスクドライブ（ＨＤＤ）等の外部記録媒体である。
【００３４】
上記画像処理コントローラ８２は、上述した測光センサ６３を含む測光回路８７と、ＡＦセンサ駆動回路７２と、ミラー駆動機構７３と、シャッタチャージ機構７５と、シャッタ制御回路７６と、不揮発性メモリ（ＥＥＰＲＯＭ）８８と共に、このカメラ本体２０内の各部を制御するためのボディ制御用マイクロコンピュータ（以下、Ｂμｃｏｍと略記する）８０に接続されている。
【００３５】
上記Ｂμｃｏｍ８０には、更に、当該カメラの動作状態を表示出力によって撮影者へ告知するための動作表示用ＬＣＤ９０と、カメラ操作スイッチ（ＳＷ）９１と、電源回路９２を介して電池９３と、通信コネクタ４０が接続されている。
【００３６】
尚、上記Ｂμｃｏｍ８０とＬμｃｏｍ１５とは、レンズ鏡筒１０の装着時に於いて、通信コネクタ４０を介して通信可能に電気的接続がなされる。そして、デジタルカメラとして、Ｌμｃｏｍ１５がＢμｃｏｍ８０に従属的に協働しながら稼動するようになっている。
【００３７】
上記ＡＦセンサ駆動回路７２は上記ＡＦセンサユニット７１を駆動制御するための回路であり、ミラー駆動機構７３は第１反射ミラー５１を駆動制御する機構である。また、シャッタチャージ機構７５は、上記シャッタ６６を構成する図示されない先幕と後幕を駆動するばねをチャージするものである。シャッタ制御回路７６は、上記シャッタ６６の先幕と後幕の動きを制御すると共に、Ｂμｃｏｍ８０との間でシャッタの開閉動作を制御する信号と図示されないストロボと同調する信号の授受を行う。また、上記測光回路８７は、測光センサ６３の電気信号に基づいて測光処理する回路である。
【００３８】
不揮発性メモリ８８は、上述したＳＤＲＡＭ８３、Ｆｌａｓｈ  Ｍｅｍｏｒｙ８４、記録メディア８５以外の記憶領域として、カメラ制御に必要な所定の制御パラメータを記憶する記憶手段であり、Ｂμｃｏｍ８０からアクセス可能に設けられている。
【００３９】
動作表示用ＬＣＤ９０は、当該カメラの動作状態を表示出力によってユーザへ告知するためのものである。上記カメラ操作スイッチ９１は、例えば撮影動作の実行を指示すると共に後述するように第１反射ミラー５１を撮影光路の内外に切り換えるレリーズスイッチ、撮影モードと画像表示モードを切り換えるモード変更スイッチ及びパワースイッチ、等、当該カメラを操作するために必要な操作釦を含むスイッチ群で構成される。更に、電源回路９２は、電源としての電池９３の電圧を、当該カメラシステムの各回路ユニットが必要とする電圧に変換して供給するために設けられている。
【００４０】
次に、このように構成されたカメラ１の各部の動作について説明する。
【００４１】
先ず、画像処理コントローラ８２により、Ｂμｃｏｍ８０の指令に従ってインターフェイス回路８１が制御されて、撮影用撮像素子６７から画像データが取り込まれる。この画像データは画像処理コントローラ８２でビデオ信号に変換され、液晶モニタ２６にて出力表示される。撮影者は、この液晶モニタ２６の表示画像から、撮影した画像イメージを確認することができる。
【００４２】
また、上記画像データは、一時保管用メモリであるＳＤＲＡＭ８３に取り込まれる。このＳＤＲＡＭ８３は、画像データが変換される際のワークエリア等に使用される。また、この画像データは、ＪＰＥＧデータに変換された後には、記録メディア８５に保管されるように設定されている。
【００４３】
ミラー駆動機構７３は、上述したように、第１反射ミラー５１を撮像時の退避位置と観察時の観察位置へ駆動するための機構である。ミラー駆動機構７３によって第１反射ミラー５１が観察位置にあるとき、撮影レンズ１１からの光束は、ＡＦセンサユニット７１側と第２乃至第４反射ミラー５２〜５５側へと分割されて導かれる。
【００４４】
ＡＦセンサユニット７１内のＡＦセンサからの出力は、ＡＦセンサ駆動回路７２を介してＢμｃｏｍ８０へ送信されて、周知の測距処理が行われる。更に、フォーカシングスクリーン５６の結像光束の一部は第２反射ミラー５２を透過して測光センサ６３へ導かれる。ここで検知された光量に基づいて、測光回路８７にて周知の測光処理が行われる。
【００４５】
シャッタ制御回路７６では、Ｂμｃｏｍ８０からシャッタを駆動制御するための信号が受取られると、その信号に基づいてシャッタ６６が制御される。また、上記シャッタ６６が制御されるのと同じくして、ミラー駆動機構７３によって第１反射ミラー５１の動作が制御される。
【００４６】
図３は、本発明の一実施形態に於けるカメラのファインダ光学系の構成を示す斜視図である。
【００４７】
ファインダ光学系５０は、レンズ鏡筒内の撮影レンズ１１を通過した被写体からの光束を、上記ファインダ３３を構成する接眼レンズ５７へと導くための複数のミラー、すなわちメインミラーである第１反射ミラー５１、第２反射ミラー５２、第３反射ミラー５３、第４反射ミラー５４と、焦点板であるフォーカシングスクリーン（スクリーンマット）５６と、接眼レンズ５７とを有して構成される。
【００４８】
上記第１反射ミラー５１は軸５１ａを中心に図示矢印Ａ方向に回動可能に構成されるもので、その一部が後述するＡＦセンサユニット７１のためにハーフミラーで構成されている。第１反射ミラー５１は、被写体の観察時は図示の如く、撮影レンズ１１から入射された光束を、撮影レンズ１１の光軸に対し略９０°の角度である第２反射ミラー５２の方向、すなわちカメラ本体２０のレンズ鏡筒１０側より見て右方向に反射する。そして、撮像時は、撮影光路より退避されて、被写体からの光束が、第１反射ミラー５１の後方に配置される撮像素子（図示せず）に導かれるように動作する。
【００４９】
上記第１反射ミラー５１の反射面で反射された光束は、フォーカシングスクリーン５６を介して第２反射ミラー５２に入射する。この第２反射ミラー５２は、上記第１反射ミラー５１からの反射光軸上であって、その反射面が上記第１反射ミラー５１の反射光軸に対し、所定の角度だけ傾いて配置されている。第２反射ミラー５２に入射された上記第１反射ミラー５１からの反射光束は、該第１反射ミラー５１からの反射光軸に対し略９０°の角度、すなわちカメラ本体２０の上方に向けて反射される。
【００５０】
上記第２反射ミラー５２の反射面で反射された光束は、該第２反射ミラー５２の反射面の反射光軸上であって、その反射面が第２の反射面の反射光軸に対し所定の角度だけ傾いて配置される第３反射ミラー５３に入射される。第３反射ミラー５３に入射された第２反射ミラー５２からの反射光束は、第３反射ミラー５３の反射面にて、上記第２反射ミラー５２の反射面からの反射光軸に対し略９０°の角度であって、上記第１反射ミラー５１の反射面による反射方向と相反する方向に反射される。つまり、第２反射ミラー５２の反射面からの反射光束は、第３反射ミラー５３の反射面にて、カメラ本体２０の左方向に向けて反射される。換言すれば、第１反射ミラー５１の反射面にて反射された光束は、第２、第３反射ミラー５２、５３によって折り返すように導かれ、第３反射ミラー５３の反射面の反射光軸は、上記第１反射ミラー５１の反射面の反射光軸と略平行となって第４反射ミラー５４に向かう。
【００５１】
上記第３反射ミラー５３の反射面で反射された光束は、該第３反射ミラー５３の反射面の反射光軸上であって、その反射面が上記第３反射ミラー５３の反射面の反射光軸に対し所定の角度だけ傾いて配置される回動可能な第４反射ミラー５４に入射される。そして、第４反射ミラー５４に入射された上記第３反射ミラー５３からの反射光束は、第４反射ミラー５４の反射面にて、上記第３反射ミラー５３からの反射光軸に対し略９０°の角度に反射される。つまり、第３反射ミラー５３の反射面からの反射光束は、第４反射ミラーの反射面の反射光軸上に配置された接眼レンズ５７に入射される。
【００５２】
上記フォーカシングスクリーン５６は、上述したファインダ光学系５０に入射された光束を光学像として結像させるために、該光束を拡散させる拡散面を有するもので、上述した撮影用撮像素子６７の撮像面上と光学的に等価な位置に、図示矢印Ｂ方向に移動可能に配置されている。
【００５３】
また、上記第２反射ミラー５２は、ハーフミラーで構成されている。第２反射ミラー５２の反射面の裏面側には、被写体の明るさを測定する測光センサ６３が配置されている。一方、第４反射ミラー５４の反射面の裏面側には、結像レンズ６０及びＣＣＤ等で構成される第１の撮像手段としての表示用撮像素子６１が配設されている。この表示用撮像素子６１は、フォーカシングスクリーン５６上の像を、結像レンズ６０を介して結像するためのものである。したがって、表示用撮像素子６１に結像された像は反転しているものの、撮影者の目５８が見ている像と同じものとなる。
【００５４】
このように、撮影レンズ１１からの被写体光束は、上述した第１乃至第４反射ミラー５１〜５４によって、その像が正立正像となるように反転されて接眼レンズ５７に導かれる。これにより、接眼レンズ５７（ファインダ３３）を通して、撮影者の眼５８でフォーカシングスクリーン５６上に結像した被写体像が観察可能となる。
【００５５】
尚、本実施形態では、第１反射ミラー５１、第２反射ミラー５２、第３反射ミラー５３及び第４反射ミラー５４は、入射光束に対して略９０°の角度で反射するように配置しているが、これに限られるものではない。
【００５６】
図４は、上述したフォーカシングスクリーン５６の移動機構について示した図である。
【００５７】
フォーカシングスクリーン５６は、複数（図４に於いては３つ）のフォーカス枠表示線１０５と測光範囲表示線１０６とが設けられた第１の焦点板であるスクリーン１（以下、スクリーン（１）と記す）１０１と、上述した表示線等が設けられていない第２の焦点板であるスクリーン２（以下、スクリーン（２）と記す）１０２とが、スクリーン枠１００に固定されて構成される。この場合、スクリーン（１）１０１とスクリーン（２）１０２とは、互いに長手方向が隣接してスクリーン枠１００に固定されている。
【００５８】
そして、スクリーン枠１００の長手方向の一方の辺には、フォーカシングスクリーン５６を移動可能とするためのラックギア１０３が形成されている。このラックギア１０３が、複数のギアから構成されるギア列１１０と噛合して、フォーカシングスクリーン５６を図示矢印Ｂ方向に移動させるものである。このギア列１１０は、回動可能な第４反射ミラー５４の下部に設けられて、図示矢印Ｃ方向に移動可能な扇状部材１１２の下面に形成されたギア歯部１１１と噛合するようになっている。すなわち、扇状部材１１２が図示矢印Ｃ方向に移動すると、ギア歯部１１１に噛合したギア列１１０が回転し、更にこのギア列１１０にラックギア１０３が噛合することにより、フォーカシングスクリーン５６が図示矢印Ｂ方向に移動する。
【００５９】
次に、図５乃至図７を参照して、ファインダビューモードとライブビューモードとの切り替えについて説明する。
【００６０】
図５及び図６は第４反射ミラー７５の駆動機構及びフォーカシングスクリーン５６を示す斜視図で、図５はファィンダビューモード時の第４反射ミラー５４を開いた状態を示した図、図６はライブビューモード時の第４反射ミラー５４を閉じた状態を示した図である。また、図７は本実施形態に於けるモード切り替えレバー３５を示した図である。
【００６１】
第４反射ミラー５４は、アイピース（ファインダ）３３が取り付けられているアイピース枠１１５の近傍の回転軸１１６に回動可能（図５に於いて矢印Ｃ方向）に取り付けられている。この回転軸１１６にはバネ（トグルバネ）１１７が巻回されており、その一端部がアイピース枠１１５上の所定の位置に設けられたバネ止めピン１１９に当てつけられ、他端部が回転軸１１６に設けられたバネ止めピン１１８に引っ掛けられている。
【００６２】
また、アイピース枠１１５の開口１１５ａ近傍には、第４反射ミラー５４の開閉状態を検出するもので、モード切り替えレバー３５に対応したモード切り替えスイッチ６４が設けられている。このモード切り替えスイッチ６４は、検出部６４ａが突起状に設けられている。
【００６３】
図６に示されるように、第４反射ミラー５４によってモード切り替えスイッチ６４の検出部６４ａが押し込まれることにより、第４反射ミラー５４が閉じられたことが検出される。すなわち、第４反射ミラー５４が遮光位置、すなわち第４反射ミラー５４がライブビュー位置に位置したことが検出される。一方、検出部６４ａが開放されると、第４反射ミラー５４が開いた状態となることがわかる。すなわち、第４反射ミラー５４がファインダビュー可能な位置に位置したことが検出される。
【００６４】
上記バネ１１７は、開く方向に付勢されているもので、通常は、図５に示されるように、第４反射ミラー５４がストッパ１１７に当てついた状態となる。このとき、第２反射ミラー５２、第３反射ミラー５３から導かれた光束は、第４反射ミラー５４で反射されてアイピース３３に至る。これが、ファインダビューモード時の状態である。尚、上記ストッパ１２２は、第１反射ミラー５１等が収納されている、図示されないミラーボックスの上部等に固設されている。
【００６５】
回転軸１１６の上面に設けられている突起部１２３は、図示されない係合部材を介して、図１及び図７に示されるモード切り替えレバー３５と連動している。つまり、このモード切り替えレバー３５が図示矢印Ｄ方向に操作されることにより、その操作方向に連動して回転軸１１６が回転し、図５に示される矢印Ｃ方向に第４反射ミラー５４が回転する。すると、第４反射ミラー５４の下部の扇状部材１１２に設けられたギア歯部１１１に噛合しているギア列１１０のギアが所定方向に回転し、該ギア列１１０及びラックギア１０３によってフォーカシングスクリーン５６が図４に示される矢印Ｂ方向に移動する。
【００６６】
この場合、図７に示されるように、モード切り替えレバー３５が実線で示される位置がファインダビューモード（アイピースシャッタの開いた状態）であり、このときのフォーカシングスクリーン５６は、図５に示されるようにスクリーン（１）１０１が観察光路上に位置される。一方、モード切り替えレバー３５が二点鎖線で示される位置がライブビューモード（アイピースシャッタが閉じた状態）である。このときのフォーカシングスクリーン５６は、図６に示されるようにスクリーン（２）１０２が観察光路上に位置される。
【００６７】
このような構成のカメラ１に於いて、撮影者がモード切り替えレバー３５を操作してファインダビューモードに切り替えると、モード切り替えレバー３５の操作方向に連動して回転軸１１６が回転し、図５に示されるように、ストッパ１２２に当てつく位置まで第４反射ミラー５４が回転する。これにより、扇状部材１１２の下部に設けられたギア歯部１１１に噛合しているギア列１１０のギアが所定方向に回転し、更に該ギア列１１０及びラックギア１０３によってフォーカシングスクリーン５６が移動して、スクリーン（１）１０１が観察光路内に位置される。
【００６８】
このスクリーン（１）１０１には、上述したようにフォーカス枠表示線１０５と測光範囲表示線１０６とが設けられている。したがって、撮影者は、被写体像にこれらのフォーカス枠表示線１０５と測光範囲表示線１０６を重ねて、アイピース３３を通じて見ることができる。また、モード切り替えスイッチ６４の検出部６４ａがオフ状態となっていることから、Ｂμｃｏｍ８０では、現在のモードがファインダビューモードであると判断する。
【００６９】
一方、撮影者がモード切り替えレバー３５を操作してライブビューモードに切り替えると、モード切り替えレバー３５の操作方向に連動して回転軸１１６が回転し、図６に示されるように、アイピース枠１１５の開口１１５ａを閉じる位置まで第４反射ミラー５４が回転する。これにより、扇状部材１１２の下部に設けられたギア歯部１１１に噛合しているギア列１１０のギアが所定方向に回転し、更に該ギア列１１０及びラックギア１０３によってフォーカシングスクリーン５６が移動して、スクリーン（２）１０２が観察光路内に位置される。
【００７０】
このスクリーン（２）１０２は、上述したようにフォーカス枠表示線や測光範囲表示線等の表示は何も設けられていない。したがって、撮影者は、スクリーン（２）１０２を介して被写体像をそのまま、アイピース３３を通じて見ることができる。また、モード切り替えスイッチ６４の検出部６４ａがオン状態となっていることから、Ｂμｃｏｍ８０では、現在のモードがライブビューモードであると判断する。
【００７１】
このように、ファィンダビューモード時では、ピント調節時等の確認をする際に上記表示線と被写体像とを合わせてみることができ、ライブビューモード時では、被写体像の確認をする上で不要な表示線を表示させないようにして見易くしているので、撮影者にとって使い勝手の良いものとなっている。
【００７２】
尚、上述した実施形態に於いて、モード切り替えレバー３５は、周知のロック機構が設けられるものであってもよいし、また掛止部が設けられるものであってもよい。そして、このモード切り替えレバー３５と回転軸１１６とは、例えばバネ係合されたオーバチャージ機構を有して構成されたものであってもよいし、或いは直結された構成であってもよい。
【００７３】
また、上述した実施形態では、表示用撮像素子６１及び撮影用撮像素子６７をＣＣＤで構成した例で説明したが、これに限られるものではなく、ＣＭＯＳ等の撮像素子で構成しても良いのは勿論である。
【００７４】
以上、本発明の実施形態について説明したが、本発明は上述した実施形態以外にも、本発明の要旨を逸脱しない範囲で種々の変形実施が可能である。
【図面の簡単な説明】
【００７５】
【図１】図１は、本発明の一実施形態を示すもので、一眼レフレックスタイプのデジタルカメラの構成を示す外観斜視図である。
【図２】本発明の一実施形態に係るカメラのシステム構成を示すブロック図である。
【図３】本発明の一実施形態に於けるカメラのファインダ光学系の構成を示す斜視図である。
【図４】フォーカシングスクリーン５６の移動機構について示した図である。
【図５】第４反射ミラー７５の駆動機構及びフォーカシングスクリーン５６を示すもので、ファィンダビューモード時の第４反射ミラー５４を開いた状態を示した図である。
【図６】第４反射ミラー７５の駆動機構及びフォーカシングスクリーン５６を示すもので、ライブビューモード時の第４反射ミラー５４を閉じた状態を示した図である。
【図７】本発明の一実施形態に於けるモード切り替えレバー３５を示した図である。
【符号の説明】
【００７６】
１…カメラ、１０…レンズ鏡筒、１１…撮影レンズ、１３…レンズ駆動機構、１４…絞り駆動機構、１５…レンズ制御用マイクロコンピュータ（Ｌμｃｏｍ）、２０…カメラ本体、２１…レリーズ釦、２２…モードダイヤル、２６…液晶モニタ、３３…ファインダ（アイピース）、３５…モード切り替えレバー、４０…通信コネクタ、５０…ファインダ光学系、５１…第１反射ミラー、５２…第２反射ミラー、５３…第３反射ミラー、５４…第４反射ミラー、５６…フォーカシングスクリーン、５７…接眼レンズ、６０…結像レンズ、６１…表示用撮像素子、６３…測光センサ、６４…モード切り替えスイッチ、６６…シャッタ、６７…撮影用撮像素子、７１…ＡＦセンサユニット、７２…ＡＦセンサ駆動回路、７３…ミラー駆動機構、７５…シャッタチャージ機構、７６…シャッタ制御回路、８０…ボディ制御用マイクロコンピュータ（Ｂμｃｏｍ）、８１…インターフェイス回路、８２…画像処理コントローラ、８５…記録メディア、８７…測光回路、１００…スクリーン枠、１０１…スクリーン１（スクリーン（１））、１０２…スクリーン２（スクリーン（２））、１０３…ラックギア、１０５…フォーカス枠表示線、１０６…測光範囲表示線、１１０…ギア列、１１１…ギア歯部、１１２…扇状部材。
【図１】
2007072286.tif 000003
【図２】
2007072286.tif 000004
【図３】
2007072286.tif 000005
【図４】
2007072286.tif 000006
【図５】
2007072286.tif 000007
【図６】
2007072286.tif 000008
【図７】
2007072286.tif 000009